(57)【要約】  【課題】  バッテリーコネクタをプリント配線基板へ取り付けるためのハンダ付け部の面積が大きく小型化ができない問題点や、取り付けた後に、ハンダ付け部の露出している部分を絶縁用カバーで覆う必要があるなどの課題があった。  【解決手段】  プリント配線基板３の実装側にコンタクト部材組立時装着用開口部１０を開口したハウジング１と、コンタクト部材組立時装着用開口部１０からハウジング内部に装着され、コ字形バネ体２０からなり、かつハウジング壁面に係合可能なＵ字形装着部２１を有するコンタクト部材２とを有するとともに、ハウジング１内部にコンタクト部材２を装着させた後、Ｕ字形装着部２１の下面側をプリント配線基板３に対向させ、Ｕ字形装着部２１の下部外面をハンダ付け部２２として形成しプリント配線基板３に取り付けるバッテリーコネクタによる。【選択図】  図２
2005190923.tif 000002
【特許請求の範囲】
【請求項１】
プリント配線基板実装側にコンタクト部材組立時装着用開口部を開口したハウジングと、
コンタクト部材組立時装着用開口部からハウジング内部に装着され、コ字形バネ体からなり、かつハウジング壁面に係合可能なＵ字形装着部を有するコンタクト部材とを有するとともに、
ハウジング内部にコンタクト部材を装着させた後、コンタクト部材のＵ字形装着部の下面側をプリント配線基板に対向させ、Ｕ字形装着部の下部外面をハンダ付け部として形成しプリント配線基板に取り付けることを特徴とするバッテリーコネクタ。
【請求項２】
プリント配線基板実装側にコンタクト部材組立時装着用開口部を開口したハウジングと、
コンタクト部材組立時装着用開口部からハウジング内部に装着され、コ字形バネ体からなり、かつハウジング壁面に係合可能なＵ字形装着部を有するコンタクト部材とを有するとともに、
Ｕ字形装着部のハウジング内部に位置するＵ字形の一方の平板部分下部面に対向するようにハンダ付け用空間を設けた防護壁を設け、
ハウジング内部にコンタクト部材を装着させた後、コンタクト部材のＵ字形装着部の下面側をプリント配線基板に対向させ、Ｕ字形装着部の下部外面をハンダ付け部として形成しプリント配線基板に取り付けることを特徴とするバッテリーコネクタ。
【発明の詳細な説明】
【技術分野】
【０００１】
この発明は、バッテリーコネクタ、詳細にはプリント配線基板（ＰＷＢ）にハンダ付け等により固定されて使用される携帯機器用バッテリーコネクタに関する。
【背景技術】
【０００２】
バッテリーコネクタは、一般的にプリント配線基板（ＰＷＢ）に取り付けられた電子機器に内蔵される被実装基板と接続されて使用されており、ハウジングから端子端部が露出し、ハンダ付け用部分が平板状に突出していた。
【０００３】
図７及び図８に示す従来技術１である３ＰバッテリーコネクタＰ１は、ハウジング１００の内部に３つのコ字形バネ部からなるコンタクト部材１０１を備えており、図７のＢＢ線断面を示す図８に示されるようにコンタクト部材１０１の後端延長部が断面でＬ字形状に後方へ向かって折り曲げられ、その後方へ折り曲げられた部分をハンダ付け部１０２として形成され、ハンダ付け部１０２の一つの面によってプリント配線基板３にハンダ付けによって取り付けられている。
【０００４】
また、特許第２７１１２２３号公報（特許文献１）に開示されているバッテリパックも、従来技術１と同様に端子７０、７１、７３（コンタクト部材）は、その後端延長部がＬ字形状に後方に突出しており、この後端延長部によってプリント配線基板に取り付けられていた（特許文献１の図６参照）。
【０００５】
更に、図９及び図１０に示す従来技術２である４ＰバッテリーコネクタＰ２は、ハウジング２００と、４つのコ字形バネ部からなるコンタクト部材２０１を備えており、コンタクト部材２０１の後部延長部は、プリント配線基板３方向へ突出したハンダ付け部２０２として形成され、取り付け時にプリント配線基板３の取り付け孔に挿入されて取り付けられていた。
【０００６】
そして、従来技術１のバッテリーコネクタＰ１も従来技術２のバッテリーコネクタＰ２とも、組立て時にコンタクト部材をハウジングに装着する場合の組立時装着用開口部は、プリント配線基板実装側には開口していない構造であった。
【０００７】
【特許文献１】特許第２７１１２２３号公報
【発明の開示】
【発明が解決しようとする課題】
【０００８】
従来技術１のバッテリーコネクタＰ１は、コンタクト部材１０１から背面側に断面Ｌ字形状のハンダ付け部１０２がハウジング１００から後方へ突出しているとともにハウジング１００の後面を部分的に塞いでいる。そのため、プリント配線基板３にハンダ付け部１０２で取り付けた後に、ハンダ付け部１０２の露出している部分を絶縁用カバーで覆う必要があり、その部品調達や取り付け作業を要する課題があった。またハウジング１００は、ハンダ付け部１０２を取り付ける背面側が開口しているため、ハウジング内部の密閉性は低かった。
【０００９】
また、従来技術１のバッテリーコネクタＰ１は、ハウジング１００の後方に突出したハンダ付け部１０２を有するため、それ以上の小型化ができない問題点と、ハンダ付け部１０２とプリント配線基板３とのハンダ付けに際し、ハンダの表面張力により実装ずれが起きる課題があった。同様に、特許文献１に開示されているバッテリーパックも従来技術１と同じ課題を有していた。
【００１０】
従来技術２のバッテリーコネクタＰ２も、バッテリーコネクタＰ１と同様、ハウジング２００からプリント配線基板３方向へ突出するハンダ付け部２０２があるため、プリント配線基板３にハンダ付け部２０２に取り付けた後に、その露出しているハンダ付け部２０２を絶縁用カバーで覆う必要があり、その部品調達や取り付け作業を要する課題があった。
【００１１】
また、従来技術１及び従来技術２のバッテリーコネクタＰ１及びＰ２は、組立て時にコンタクト部材をハウジングに装着する場合の組立時装着用開口部が、プリント配線基板側方向に開口していないため、プリント配線基板に実装された後のハウジングの密閉性が低く、ハウジング内部に埃や液体などが入り込んで故障が起きやすい課題があった。
【課題を解決するための手段】
【００１２】
上記の課題を解決するために、プリント配線基板実装側にコンタクト部材組立時装着用開口部を開口したハウジングと、コンタクト部材組立時装着用開口部からハウジング内部に装着され、コ字形バネ体からなり、かつハウジング壁面に係合可能なＵ字形装着部を有するコンタクト部材とを有するとともに、
ハウジング内部にコンタクト部材を装着させた後、コンタクト部材のＵ字形装着部の下面側をプリント配線基板に対向させ、Ｕ字形装着部の下部外面をハンダ付け部として形成しプリント配線基板に取り付けることを特徴とするバッテリーコネクタを提案する。
【００１３】
また、プリント配線基板実装側にコンタクト部材組立時装着用開口部を開口したハウジングと、コンタクト部材組立時装着用開口部からハウジング内部に装着され、コ字形バネ体からなり、かつハウジング壁面に係合可能なＵ字形装着部を有するコンタクト部材とを有するとともに、
Ｕ字形装着部のハウジング内部に位置するＵ字形の一方の平板部分下部面に対向するようにハンダ付け用空間を設けた防護壁を設け、ハウジング内部にコンタクト部材を装着させた後、コンタクト部材のＵ字形装着部の下面側をプリント配線基板に対向させ、Ｕ字形装着部の下部外面をハンダ付け部として形成しプリント配線基板に取り付けることを特徴とするバッテリーコネクタを提案する。
【発明の効果】
【００１４】
この発明によれば、従来に比較してプリント配線基板に取り付けるハンダ取り付け部分を小さくすることができ、バッテリーコネクタの小型化が可能となった。
【００１５】
また、この発明はハンダ付け部がＵ字形下部両側外面であるため、ハンダ溶解時の表面張力からなるフィレットがＵ字形の２個所に形成され、ハンダ付けの面積が小さくても良好なハンダ付け強度を有し、ハンダ付け時のセルフアライアメント効果を有する。
【００１６】
更に、この発明は、プリント配線基板に取り付けた後に、ハンダ付け部の露出部分が非常に少ないため、絶縁用カバーが不要となり、その部品調達や取り付け作業も不要となり、製造効率が向上した。
【００１７】
また、組立て時にコンタクト部材をハウジングに装着する場合の組立時装着用開口部が、プリント配線基板側方向に開口しているため、プリント配線基板に実装された後のハウジングの密閉性が向上し、ハウジング内部に埃や液体などが入り込んで故障を起こす確率が低下した。
【発明を実施するための最良の形態】
【００１８】
この発明のバッテリーコネクタを、１つの実施形態を示す図１乃至図６に基づいて説明する。図１はバッテリーコネクタの正面図、図２は、図１のＡＡ線断面図、図３はバッテリーコネクタの背面図、図４はバッテリーコネクタの平面図、図５はバッテリーコネクタの底面図、図６は、  図１のＡＡ線断面図にハンダ付けをした状態を示す説明図である。
【００１９】
この発明の実施形態を示すバッテリーコネクタは、ハウジング１と、コンタクト部材２からなり、プリント配線基板３にハンダ付けにより装着される。
【００２０】
ハウジング１は、プリント配線基板３に取り付けられる側、即ちプリント配線基板実装側にコンタクト部材組立時装着用開口部１０を開口しており、コンタクト部材２は、このコンタクト部材組立時装着用開口部１０からプリント配線基板３に取り付けられる前にハウジング１の内部に装着される。ハウジング１は、正面壁面１４と上面壁面１５に連続するコンタクト用開口部１７を設ける。この実施例では３Ｐバッテリーコネクタであるのでコンタクト用開口部１７の３つそれぞれにコンタクト部材２の対向する接触凸部２０が位置するように３つのコンタクト部材２を装着する。
【００２１】
また、ハウジング１は、後述するとコンタクト部材２のＵ字形装着部２１のハウジング内部に位置するＵ字形の一方の平板部分下部面に対向するようにハンダ付け用空間１１を設けた防護壁１２を一体的に設けている。１３は、プリント配線基板３の取り付け時に位置決めをする位置決め突起であり、左右の側端部下方向へ突出している。
【００２２】
コンタクト部材２は、平面視又は底面視でコ字形のバネ体２０と、このバネ体２０の背面側から後方へ連続する部材でありハウジング背面側の壁面１６に係合可能なＵ字形装着部２１を有する。コ字形のバネ体２０は、コンタクト用開口部１７から挿入される接触板状体（図示せず）を板バネにより両側から挟み付けて接触する対向する接触凸部２００を有している。
【００２３】
Ｕ字形装着部２１は、Ｕ字形の一方の平板部分でバネ体２０の背面部に固定されているとともに、Ｕ字形の溝部分でハウジング背面壁面１６にその下端側から係合して、コンタクト部材２をハウジング１に装着する。Ｕ字形装着部２１は、その下面の前後の曲外面の２個所をハンダ付け部２２として形成する。
【００２４】
次に、この発明の実施形態である３Ｐバッテリーコネクタを、プリント配線基板３の取り付け面に取り付ける作業及び作用について説明する。バッテリーコネクタは、ハウジング１内部にコンタクト部材２を、ハウジング１のコンタクト部材組立時装着用開口部１０からハウジング内部へ装着する。このときＵ字形装着部２１がハウジング背面壁面１６の下端をＵ溝によって挟むようにして係合し、コンタクト部材２の接触凸部２００はコンタクト用開口部１７から見える位置に設けられる。
【００２５】
次に、このバッテリーコネクタをプリント配線基板３の取り付け面に、ハウジング１のコンタクト部材組立時装着用開口部１０側を向けて、位置決め突起１３をプリント配線基板３上の凹部に対応させて位置決めする。
【００２６】
この状態でＵ字形装着部２１の下面は、プリント配線基板３と対向しており、この実施例ではプリント配線基板３の取り付け面に接着しているが、僅かに間隔を空けて対向している状態でもよい。ハンダ付けは、図６に示すようにＵ字形装着部２１の下面の前後の曲面２個所のハンダ付け部２２にハンダＨを位置させて、ハンダが溶解したときにプリント配線基板３取り付け面表面とハンダ付け部２２の双方にハンダＨが溶解したときに接するようにする。そして、特定の装置内でハンダＨを融する温度を与え、その後ハンダＨを冷却して固化させてバッテリーコネクタをプリント配線基板３表面に固定させる。
【００２７】
このとき、Ｕ字形装着部２１のハウジング内部に位置するＵ字形の一方の平板部分下部のハンダ付け部２２にはハンダ付け用空間１１があるのでこの場所にハンダを安定して位置させるとともに、この空間１１のハウジング内部側に防護壁１２を備えているので、加熱しハンダが溶融するときに発生するフラックスガスによる溶融ハンダのハウジング内部への飛散を防護している。
【産業上の利用可能性】
【００２８】
この発明は、携帯電話等の小型化が要望される携帯機器用バッテリーコネクタを、より小型化することが可能となり、プリント配線基板（ＰＷＢ）に取り付ける面積を少なくすることができ携帯機器用のバッテリーコネクタとして利用性が高い。
【図面の簡単な説明】
【００２９】
【図１】この発明のバッテリーコネクタの１つの実施形態を示す正面図
【図２】図１のＡＡ線断面図
【図３】この発明のバッテリーコネクタの１つの実施形態を示す背面図
【図４】この発明のバッテリーコネクタの１つの実施形態を示す平面図
【図５】この発明のバッテリーコネクタの１つの実施形態を示す底面図
【図６】図１のＡＡ線断面図にハンダ付けをした状態を示す説明図
【図７】従来技術１のバッテリーコネクタの平面図
【図８】従来技術１を示し図７のＢＢ線断面図
【図９】従来技術２のバッテリーコネクタの平面図
【図１０】従来技術２を示し図９のＣＣ線断面図
【符号の説明】
【００３０】
１  ハウジング  
１０  コンタクト部材組立時装着用開口部
１１  ハンダ付け用空間
１２  防護壁
１３  位置決め突起
１４  正面壁面
１５  上面壁面
１６  背面壁面
１７  コンタクト用開口部
２  コンタクト部材  
２０  コ字形バネ体
２００  接触凸部
２１  Ｕ字形装着部
２２  ハンダ付け部
３  プリント配線基板
Ｈ  ハンダ
【図１】
2005190923.tif 000003
【図２】
2005190923.tif 000004
【図３】
2005190923.tif 000005
【図４】
2005190923.tif 000006
【図５】
2005190923.tif 000007
【図６】
2005190923.tif 000008
【図７】
2005190923.tif 000009
【図８】
2005190923.tif 000010
【図９】
2005190923.tif 000011
【図１０】
2005190923.tif 000012